(57)【要約】      （修正有）【課題】スマートテーブルの構造を提供する。【解決手段】主にテーブル本体１及び少なくとも一つのテーブルの足２で構成するスマートテーブル１０の構造である。テーブル本体１に一つのテーブル天板１１及びテーブル本体に設置する一つのＤＣ電源サプライ１２を含み、ＤＣ電源サプライ１２は一つの電圧調整ユニットを接続し、ニーズに基づきＤＣ電圧値を調整して出力する。テーブルの足２はテーブル本体１の底面と接続して支える。それにより、本考案は閲読、執務する或いは物を置くなどの機能のほか、同時にＤＣ電源を提供するスマートテーブルである。【選択図】図１
0003219564.tif 000002
【実用新案登録請求の範囲】
【請求項１】
テーブル天板及びＤＣ電源サプライ、テーブルの足を含み、
該ＤＣ電源サプライは該テーブル本体に設置し、該ＤＣ電源サプライに一つの電圧調整ユニットを接続し、ニーズに基づいて調整し、ＤＣ電圧値を出力し、及び、
少なくとも一つのテーブルの足は該テーブル本体の底面と接続して支えることを特徴とするスマートテーブルの構造。
【請求項２】
更に該ＤＣ電源サプライと外付けする一つのケーブル及び該ケーブルの一端と接続するプラグを含むことを特徴とする請求項１記載のスマートテーブルの構造。
【請求項３】
前記ＤＣ電圧値は５ボルト、９ボルト、１２ボルト或いは２０ボルトとすることができることを特徴とする請求項１記載のスマートテーブルの構造。
【請求項４】
前記ＤＣ電源サプライの中に、更に一つの制御ユニット及び一つの負荷検出を含み、該制御ユニットは接続する負荷シグナルを識別し、且つ該電圧調整ユニットが必要とする該ＤＣ電圧値の出力を制御することを特徴とする請求項１記載のスマートテーブルの構造。
【請求項５】
更に該ＤＣ電源サプライに電力を提供する一つの電源保存ユニットを含むことを特徴とする請求項１記載のスマートテーブルの構造。
【請求項６】
前記該電源保存ユニットはリチウム電池、或いは充電式電池、或いはリチウムイオン電池であることを特徴とする請求項５記載のスマートテーブルの構造。
【請求項７】
前記該電源保存ユニットはテーブル本体/テーブル天板の底面或いはテーブルの足の片側に設置できることを特徴とする請求項６記載のスマートテーブルの構造。
【請求項８】
更に該ＤＣ電源サプライと電気接続する少なくとも一つのＤＣ電源コンセント、及び少なくとも一つのＡＣ電源コンセントを含み、該ＤＣ電源コンセント及び該ＡＣ電源コンセントは、該テーブル天板の表面に並列或いは離して嵌設できることを特徴とする請求項１記載のスマートテーブルの構造。
【請求項９】
更に該ＤＣ電源サプライと電気接続する一つのワイヤレス充電モジュールを含み、該ワイヤレス充電モジュールは該テーブル天板に嵌設することを特徴とする請求項１記載のスマートテーブルの構造。
【請求項１０】
前記該ワイヤレス充電モジュールを該テーブル天板内に設置し、該ワイヤレス充電モジュールは該ＤＣ電源サプライ電力を得た後、該ワイヤレス充電モジュールと近隣する該テーブル天板の上方に一つの充電エリアが形成され、ワイヤレス充電を行うことを特徴とする請求項９記載のスマートテーブルの構造。
【請求項１１】
更に該ＤＣ電源サプライと電気接続する一つのＬＥＤランプを含み、該ＬＥＤランプは光の強弱を調整することができ、且つ該テーブル天板に直立して設置することを特徴とする請求項１記載のスマートテーブルの構造。
【請求項１２】
前記該テーブルの足の数は１或いは１以上とし、且つ各該テーブルの足に、一つの伸縮棒及び該伸縮棒と接続する一つのサポート横棒を具有することで、該テーブル天板の高さを調整することを特徴とする請求項１記載のスマートテーブルの構造。
【考案の詳細な説明】
【技術分野】
【０００１】
本考案はスマートテーブルの構造に関し、特に直接ＤＣ電流を提供できるスマートテーブルの構造に関する。
【背景技術】
【０００２】
テクノロジーが進歩するのにつれ、携帯電話、タブレット、カメラ、ノートパソコン、ハンドヘルドゲーム機など、様々な電子製品が人々の生活レベルを引き上げ、大変な便利さをもたらしてくれている。上記電子製品及び充電と持久力のあるパワーニーズを提供するために、デスクを移動し、室内の壁の下側に設置するＡＣコンセントを露出させ、プラグを差し込んでからデスクを元の位置に戻し、充電が終ると、また腰を屈めて抜くなど不便であるほか、電源コードの長さが足りないなどの欠点もある。よって、ＡＣ電源コンセントを結合したデスクが案出され、デスクを移動せずとも、直接電子デバイス或いは電気設備を直接繋ぐことができる。しかし、このような方法では、特に３Ｃ電子デバイスのユーザーにとって、尚もＡＣ−ＤＣアダプター(ａｄａｐｔｅｒ)及びケーブルを具有し、電圧を変換してからしか充電を行うことができず、よってユーザーが使用上において、尚も不便及びケーブルの整理などの問題が残ることを鑑みて、更なる改善が必要であった。
【先行技術文献】
【特許文献】
【０００３】
【特許文献１】特表2018-507010号公報
【考案の概要】
【考案が解決しようとする課題】
【０００４】
前記公知構造の欠点を解決するため、本考案は読書、執務する或いは物を置くなどの機能を結合し、同時にＤＣ電源を提供できるスマートテーブルの構造を提供することを主な課題とする。
【課題を解決するための手段】
【０００５】
上述の目的を解決するために、本考案はスマートテーブルの構造を提供するものであり、一つのテーブル本体及び少なくとも一つのテーブルの足を含む。テーブル本体はテーブル天板及びテーブル本体に設置する一つのＤＣ電源サプライを含む。その中、ＤＣ電源サプライは一つの電圧調整ユニットを接続し、ニーズに基づき調整した一つのＤＣ電圧値を出力する。テーブルの足はテーブル本体の底面と結合して支える。
【０００６】
本考案は更に以下の効能を具有する。本考案のＤＣ電源サプライ内の電圧調整ユニットは、例えばＤＣ(或いはＡＣ)電源の変圧、整流、フィルタリング、電源調整、安定してＤＣ電圧を出力する(即ちＤＣからＤＣ／ＡＣからＤＣに変換する)機能を具有するため、別途ＡＣからＤＣに変換するアダプター及びケーブルを使用する必要がなく、直接手持ちの３Ｃ電子デバイスを差し込んで充電することができ、大変迅速且つ便利である。
【０００７】
一つの具体的な実施例において、ＤＣ電源サプライと外付けするケーブル及びケーブルの一端と接続するプラグを含み、プラグ(例えばＵＳＢ)を通じて、ＵＳＢスロットを具有する３Ｃ電子デバイスの製品に直接ＤＣ電源を供給し、充電の便利性が増す。ＤＣ電源サプライ内に少なくとも一つの制御ユニット及び一つの負荷検出を含み、昇圧或いは降圧を行うことができる。制御ユニットは結合する電子デバイスの負荷シグナルを識別し、電圧調整ユニットを制御し、それに対応/必要とするＤＣ電圧値(例えば５ボルト、９ボルト、１２ボルト、２０ボルトなどの電圧値)を出力させて充電或いは使用する。
【０００８】
もう一つの具体的な実施例において、更にＤＣ電源サプライと接続するワイヤレス充電モジュール、電源保存ユニット、ＤＣ電源コンセント及びＡＣ電源コンセントなどのデバイスを含む。前記の各種デバイスとＤＣ電源サプライは同様にテーブル本体或いはテーブル天板内に嵌設することで、テーブル本体／テーブル天板から見えず、テーブル天板のスペースを占用することなく、またテーブル本体／テーブル天板の完全性を破壊する必要がないメリットを具有する。よって、本考案のスマートテーブルは、テーブル本体全体の美観に影響を与えず、有効的に多様化、機能性、便利性を兼ね備える。
【考案の効果】
【０００９】
本考案はテーブル本体に一つのテーブル天板及びテーブル本体に設置する一つのＤＣ電源サプライを含み、該ＤＣ電源サプライは一つの電圧調整ユニットを接続し、ニーズに基づきＤＣ電圧値を調整して出力する。各種デバイスとＤＣ電源サプライはテーブル本体或いはテーブル天板内に嵌設することで、テーブル本体／テーブル天板から見えず、テーブル天板のスペースを占用することがなく、テーブル本体全体の美観に影響を与えず、有効的に多様化、機能性、便利性を兼ね備える。
【図面の簡単な説明】
【００１０】
【図１】本考案のスマートテーブルの立体図である。
【図２】本考案のスマートテーブルの正面図である。
【図３】本考案のスマートテーブルのＤＣ電源サプライの回路図である。
【考案を実施するための形態】
【００１１】
以下、本考案の構造と特徴および効果を、最良実施例と図面を参照しながら詳細に説明する。添付図は参考及び説明用のものであり、本考案を制限するものではない。
【実施例】
【００１２】
図１から図３に示すように、本考案のスマートテーブル１０に含まれるのは一つのテーブル本体１及び少なくとも一つのテーブルの足２である。ここで指すスマートテーブル１０とは、現有のデスク、事務机、物を置くテーブル或いはその他の適切とするテーブルに応用することができ、限定しない。このほか、本実施例にて示すテーブル本体１の形状は矩形を含むが、それに限られないものとする。
【００１３】
本考案のスマートテーブル１０が提供するＤＣ電圧は、ＡＣ電圧のピーク、力率、周波数位相差、高調波干渉などの要素による影響がないため、直接ＤＣ電圧を提供する方が、ＡＣ電圧に比べ、更に安定性があり、保存しやすい特徴と持つと共に、コストが比較的低く、応用の範囲が広い。更に、本考案のＤＣ電源サプライ１２は、その電圧調整ユニット/回路を利用して、ＤＣ/ＡＣ電圧を昇圧/降圧してからＤＣ電圧に出力することができる。下記に本考案のスマートテーブルの詳細構造を説明する。
【００１４】
図１から図３に示すように、テーブル本体１はテーブル天板１１及びテーブル本体１に設置する一つのＤＣ電源サプライ１２を含む。その中、ＤＣ電源サプライ１２は一つの電圧調整ユニット１２１を電気接続し、ニーズに基づき調整した一つのＤＣ電圧値(図に未掲載)を出力する。本実施例において、電圧調整ユニット１２１の最良は、ＤＣ電源サプライ１２内に内蔵する。しかし、その他の異なる実施例において、電圧調整ユニット１２１は、分離してＤＣ電源サプライ１２と電線(図を省略)で接続することができ、ニーズに合わせて変更する。図１に示す実施例において、ＤＣ電源サプライ１２の最良は、テーブル本体１或いはテーブル天板１１内に嵌設し、且つＤＣ電源サプライ１２と外付けする一つのケーブル１２４及びケーブル１２４の一端と接続するプラグ１２５を含む、或いは含まないことができ、各種のスロット(図を省略)を具有する３Ｃ電子デバイス製品(図を省略)のＤＣ電圧を充電するために使用するのに便利である。
【００１５】
しかし、その他の異なる実施例において、ケーブル１２４の一端は、例えばＤＣプラグ或いはその他の適切なコネクタと接続することもでき、ニーズに合わせて変更する。よって、本実施例のスマートテーブル１０は、読書、執務する、物を置くほかに、同時にＤＣ電源による充電の機能も兼ね備える。
【００１６】
更に説明が必要なのは、ＤＣ電源サプライ１２内には、更に一つの制御ユニット１２２及び一つの負荷検出１２３を含む。当該制御ユニット１２２は前記電子製品の負荷シグナルを識別することができ、且つ必要なＤＣ電圧値を出力するように電圧調整ユニット１２１を制御する。つまり負荷検出１２３が接続した電子製品の電気抵抗或いは電流(シグナル)の変化を検出し、制御ユニット１２２は電圧調整ユニット１２１を制御し、入力電圧の変動或いは負荷電圧の変化による影響を受けず、対応する且つ安定した出力電圧値を維持する。該ＤＣ電圧値は５ボルト、９ボルト、１２ボルト、２０ボルト或いはその他の適切な電圧値とすることができ、限定しない。
【００１７】
この他、ＤＣ電源サプライ１２は外付けの電源コード１２６を通じて、商業電源と接続して電気を提供する。或いはＤＣ電源サプライ１２電力の電源保存ユニット１３を通じて提供する。ここに述べる電源保存ユニット１３とは、使い捨てのリチウム電池、或いは充電式電池、或いはリチウムイオン電池とすることができ、限定しない。電源保存ユニット１３がどの種類のバッテリーに関わらず、ＤＣ電源サプライ１２は提供された電源をＤＣ電源に変換して使用することができる。本実施例において、電源保存ユニット１３はそのサイズに基づきテーブル本体１/テーブル天板１１の底面或いはテーブルの足２の片側に設置することもでき、ニーズに合わせて変更する。
【００１８】
更に本実施例が更に含むのは、ＤＣ電源サプライと電気接続する少なくとも一つのＤＣ電源コンセント１４及び、少なくとも一つのＡＣ電源コンセント１５であり、それぞれほかにＤＣ電源を必要とする電子製品の使用或いはその他のＡＣ電源を必要とする家電製品の使用に提供する。図１に示すように、ＡＣ電源コンセント１５もまた、電源コード１２６を通じて、商業電源と接続し、ＡＣ電源を提供できるよう、ニーズに合わせてデザインすることができる。家電製品がＡＣ電源コンセント１５に挿す際、直接電源保存ユニット１３を通じて電気供給することができ、或いはＤＣ電源サプライ１２に結合することができ、中の制御ユニット１２２を通じて電圧を安定させる操作をしてから、再びＡＣ電源コンセント１５に電気を供給し、ニーズに合わせて変更する。ＤＣ電源コンセント１４及びＡＣ電源コンセント１５はテーブル本体１/テーブル天板１１の表面に並列、或いは離れて嵌設することができ、電子デバイス或いは電器設備がそれに差し込んで使用する。
【００１９】
３Ｃ電子製品などが充電しやすいよう、本実施例は更にＤＣ電源サプライ１２と電気接続する一つのワイヤレス充電モジュール１６を含み、過多の充電ケーブル(図は省略)によりケーブルの収納が問題になるのを避ける。図１に示すように、ワイヤレス充電モジュール１６は同様にテーブル本体１/テーブル天板１１内に嵌設し、ＤＣ電源サプライ１２の電力を受けた後、近隣のワイヤレス充電モジュールのテーブル天板１１の上方に一つの充電エリア(図に未表示)を形成する。電磁共振原理を通じてワイヤレスより電気を発し、それにより充電エリアに、或いは近くに置く３Ｃ電子製品がワイヤレス充電を行う。
【００２０】
テーブルの足２はテーブル本体１の底面と結合して支える。図２に示す実施例のように、テーブルの足の数の最良数は、１或いは１以上とし、且つ各テーブルの足２に一つの伸縮棒２１及び伸縮棒２１の頂端と接続する一つのサポート横棒２２を具有し、同時にテーブル天板１１の高度を調整する。本実施例の伸縮棒２１は、例えば気圧棒或いはＤＣ電源サプライ１２を通じて電気供給できる電動棒にすることができ、ニーズに合わせて設置する。この他、本実施例のスマートテーブル１０は更にＤＣ電源サプライ１２と電気接続する一つのＬＥＤランプ１７を含む。ＬＥＤランプ１７は例えば一つの制御モジュール１７１を具有し、光の強弱を調整することができ、且つテーブル天板１１に直立して設置する。
【００２１】
本実施例のスマートテーブル１０に関わる様々なスマート機能(例えばＤＣ電源コンセント１４、ＡＣ電源コンセント１５、ワイヤレス充電モジュール１６及びＬＥＤランプ１７など)は、ニーズに合わせて選び、且つテーブル本体１の適切な位置に嵌設することができ、本実施例を以って制限しない。
【００２２】
以上の実施例による本考案の詳細な説明は本考案の範囲を制限するものではない。本考案の範囲は、後続の請求項の範囲で定めるべきであり、合法の均等物を含めることとし、前記の説明に制限されない。
【符号の説明】
【００２３】
１０  スマートテーブル
1  テーブル本体
１１  テーブル天板
１２  ＤＣ電源サプライ
１２１  電圧調整ユニット
１２２  制御ユニット
１２３  負荷検出
１２４  ケーブル
１２５  プラグ
１２６  電源コード
１３  電源保存ユニット
１４  ＤＣ電源コンセント
１５  ＡＣ電源コンセント
１６  ワイヤレス充電モジュール
１７ ＬＥＤランプ
１７１  制御モジュール
２  テーブルの足
２１  伸縮棒
２２  サポート横棒
【図１】
0003219564.tif 000003
【図２】
0003219564.tif 000004
【図３】
0003219564.tif 000005